(57)【要約】【課題】光のホットスポットの発現を防止して、見栄えを向上させた発光時計を提供する。【解決手段】発光時計は、光を透過する透光部材で形成された文字板１と、文字板１よりも裏側に配置され、文字板１を光らせるための光源ユニット２とを有し、光源ユニット２から文字板１の裏面１ｂに投光して文字板１の裏面１ｂから表面１ａに光を透過させて文字板１を光らせる。光源ユニット２は、発光方向ＬＤが文字板１とは反対側を向く姿勢で設けられる発光部２５と、発光部２５の発光先に配置され、発光部２５から照射された光の一部を乱反射させて文字板１の裏面１ｂへ案内する案内面２２ｓと、を有する。【選択図】図２
0003173598.tif 000002
【実用新案登録請求の範囲】
【請求項１】
光を透過する透光部材で形成された文字板と、前記文字板よりも裏側に配置され、前記文字板を光らせるための光源ユニットとを備え、前記光源ユニットから前記文字板の裏面に投光して前記文字板の裏面から表面に光を透過させて前記文字板を光らせる発光時計であって、
前記光源ユニットは、発光方向が前記文字板とは反対側を向く姿勢で設けられる発光部と、前記発光部の発光先に配置され、前記発光部から照射された光の少なくとも一部を乱反射させて前記文字板の裏面へ案内する案内面とを有することを特徴とする発光時計。
【請求項２】
前記案内面は半透明部材に形成され、当該半透明部材が外部に露出している請求項１に記載の発光時計。
【請求項３】
前記光源ユニットは、正面視略環状又は正面視略円盤状の中空空間を形成するハウジングを有し、
前記中空空間に前記発光部が周方向に沿って複数配列されており、ハウジング内面が前記案内面に設定されて前記発光部からの光を前記文字板の裏面に案内するように構成されていると共に、ハウジング内面の一部には、他のハウジング内面に比して光の透過性が高く且つ前記中空空間の光を外周側に透過させる高透過部位が設けられている請求項１又は２に記載の発光時計。
【請求項４】
正面視において前記ハウジングの寸法は、前記文字板の寸法よりも小さく設定されている請求項３に記載の発光時計。
【請求項５】
前記ハウジングは、時計針を回転駆動するための時計ムーブメントを着脱可能なベースを有し、前記光源ユニットは、前記時計ムーブメントを前記ベースに装着した状態で前記文字板に対して着脱可能に構成されている請求項３又は４に記載の発光時計。
【請求項６】
前記発光部を発光状態又は消灯状態のいずれかに切り替えるための操作部と、前記操作部と前記光源ユニットとを電気的に接続するコードとを備える請求項１〜５のいずれかに記載の発光時計。
【請求項７】
前記発光部は、予め定められた複数段階の発光強度で発光可能に構成されており、
前記操作部は、前記複数段階の発光強度のうちいずれかの発光強度を選択するための発光強度選択部を兼ねている請求項６に記載の発光時計。
【請求項８】
前記文字板又は前記光源ユニットには、前記コードを引っかけるための複数のフックが互いに離間した状態で設けられている請求項６又は７に記載の発光時計。
【考案の詳細な説明】
【技術分野】
【０００１】
本考案は、ＬＥＤ（発光ダイオード）等の発光部を用いて文字板を光らせる発光時計に関する。
【背景技術】
【０００２】
従来、夜間などの暗所でも時刻を視認可能にするために、ＬＥＤ（発光ダイオード）等の発光部を用いて文字板を光らせる発光時計が知られている。例えば特許文献１には、文字板の表面に導光板を設け、又は、文字板自体を導光板で形成し、発光部をその光軸が文字板の中心に向くように導光板の周縁に配置しておき、発光部を発光させて文字板を光らせる発光時計が開示されている。
【先行技術文献】
【特許文献】
【０００３】
【特許文献１】特開２００２−２２８４９号公報
【考案の概要】
【考案が解決しようとする課題】
【０００４】
ところが、上記従来の時計では、導光板を用いることを必須としているものの、装飾性を高める観点から、導光板を用いなくとも文字板が照明可能であるのが好ましい。この要求に対応するために、光を透過する透光部材で文字板自体を形成すると共に、文字板を照明するための光源ユニットを文字板の裏面側に設け、光源ユニットに、発光方向（光軸）が文字板を向く姿勢で発光部を取り付けて、発光部で照射された光を文字板の背面から表面に透過させて文字板を光らせるように構成することが考えられる。
【０００５】
しかしながら、上記構成では、発光部から文字板に光が直接照射されるので、文字板のうち発光部から近い部位では輝度が高くなりすぎて、光のホットスポットが発現しやすく、点状の模様が文字板に生じて見栄えを損なってしまう。
【０００６】
なお、文字板を光らせる機能だけではなく、他の機能を備えた新たな時計が望まれている。
【０００７】
本考案は、このような課題に着目してなされたものであって、その目的は、光のホットスポットの発現を防止して、見栄えを向上させた発光時計を提供することである。
【課題を解決するための手段】
【０００８】
本考案は、かかる目的を達成するために、次のような手段を講じたものである。
【０００９】
すなわち、本考案の発光時計は、光を透過する透光部材で形成された文字板と、前記文字板よりも裏側に配置され、前記文字板を光らせるための光源ユニットとを備え、前記光源ユニットから前記文字板の裏面に投光して前記文字板の裏面から表面に光を透過させて前記文字板を光らせる発光時計であって、前記光源ユニットは、発光方向が前記文字板とは反対側を向く姿勢で設けられる発光部と、前記発光部の発光先に配置され、前記発光部から照射された光の少なくとも一部を乱反射させて前記文字板の裏面へ案内する案内面とを有することを特徴とする。
【００１０】
このように構成すれば、発光部から照射された光は、文字板とは反対側に向かい、発光部の発光先に配置された案内面によって乱反射して文字板の裏面に案内される。したがって、発光部から文字板の裏面に直接投光されず、発光部からの光が案内面で乱反射して拡散した状態で間接的に文字板の裏面に到達するので、光のホットスポットの発現を防止して、見栄えを向上させることが可能となる。
【００１１】
文字板を光らせる機能だけでなく、時計周囲を照らす照明機能を時計に付加するためには、前記案内面は半透明部材に形成され、当該半透明部材が外部に露出していることが好ましい。
【００１２】
文字板の周囲を照らすことが可能な新たな態様の発光時計を提供するためには、前記光源ユニットは、正面視略環状又は正面視略円盤状の中空空間を形成するハウジングを有し、前記中空空間に前記発光部が周方向に沿って複数配列されており、ハウジング内面が前記案内面に設定されて前記発光部からの光を前記文字板の裏面に案内するように構成されていると共に、ハウジング内面の一部には、他のハウジング内面に比して光の透過性が高く且つ前記中空空間の光を外周側に透過させる高透過部位が設けられていることが望ましい。
【００１３】
時計を間接照明として利用するためには、正面視において前記ハウジングの寸法は、前記文字板の寸法よりも小さく設定されていることが好ましい。
【００１４】
組み付け作業を向上させると共に、種々の文字板に対応する汎用性ある光源ユニット及び時計ムーブメントを提供するためには、前記ハウジングは、時計針を回転駆動するための時計ムーブメントを着脱可能なベースを有し、前記光源ユニットは、前記時計ムーブメントを前記ベースに装着した状態で前記文字板に対して着脱可能に構成されていることが効果的である。
【００１５】
使い勝手を向上させるためには、前記発光部を発光状態又は消灯状態のいずれかに切り替えるための操作部と、前記操作部と前記光源ユニットとを電気的に接続するコードとを備えることが望ましい。
【００１６】
照明として有用な発光時計を提供するためには、前記発光部は、予め定められた複数段階の発光強度で発光可能に構成されており、前記操作部は、前記複数段階の発光強度のうちいずれかの発光強度を選択するための発光強度選択部を兼ねていることが好ましい。
【００１７】
所望の場所に操作部を配置可能にするためには、前記文字板又は前記光源ユニットには、前記コードを引っかけるための複数のフックが互いに離間した状態で設けられていることが望ましい。
【考案の効果】
【００１８】
本考案は、以上説明したように、発光部から文字板の裏面に直接投光されず、発光部からの光が拡散した状態で間接的に文字板の裏面に到達するので、光のホットスポットの発現を防止して、見栄えを向上させることが可能となる。したがって、美観を向上させた発光時計を提供することが可能となる。
【図面の簡単な説明】
【００１９】
【図１】本考案の一実施形態に係る発光時計を示す正面図。
【図２】発光時計を示すＡ１−Ａ１部位断面図。
【図３】光源ユニット及び文字板の取付部分を模式的に示す正面図。（ａ）文字板の正面図。（ｂ）光源ユニットの正面図。
【図４】コードの或る配置状態を示す発光時計の背面図。
【図５】コードの他の配置状態を示す発光時計の背面図。
【図６】コードの上記以外の配置状態を示す発光時計の背面図。
【考案を実施するための形態】
【００２０】
以下、本考案の一実施形態を、図面を参照して説明する。
【００２１】
本実施形態の発光時計は、図１及び図２に示すように、光を透過する透光部材で形成された円盤状の文字板１と、文字板１よりも裏側に配置され、文字板１を光らせるための光源ユニット２とを備えたアナログ表示型の発光時計である。この時計は、光源ユニット２を構成するハウジング２０に形成された壁掛け用取付部２０ｓを介して壁ＷＬに取り付けられる壁掛け時計である。
【００２２】
文字板１には、図１及び図２に示すように、時刻を表す数字の形状に沿って表面１ａを突出させることにより、周囲に比して光の透過率を変化させた装飾１ｓが施されている。また、文字板１の中央部裏側には、文字板１の表側に配置された時計針３０を回転駆動するための時計ムーブメント３が配置されており、時計ムーブメント３は、文字板１の中央に形成された孔１ｈを介して時計針３０と接続されている。本実施形態では、文字板１を白色陶器で構成しているが、光を透過させる透光部材であれば、これに限定されない。例えば、プラスチック樹脂やガラス、和紙、布などで構成してもよい。また、装飾として、文字板１の裏面に光を遮蔽する遮蔽シールを添付して、光の透過率を周囲よりも低くした領域を設け、模様や文字を文字板に形成してもよい。
【００２３】
光源ユニット２は、文字板１の裏面１ｂに投光して文字板１の裏面１ｂから表面１ａに光を透過させて文字板１を光らせるものであり、正面視略環状の中空空間ＳＰを形成するハウジング２０と、中空空間ＳＰに周方向に沿って複数配列される発光部２５とを有している。
【００２４】
ハウジング２０は、円盤基部２３ａ及び円盤基部２３ａから起立する筒状壁部２３ｂを有するベース２３と、円盤基部２３ａの周縁から外周側裏側に延びる透明部材の表側シェード２１と、筒状壁部２３ｂの先端から外周側に延びて表側シェード２１に連なる半透明部材の裏側シェード２２とを備え、ベース２３、表側シェード２１及び裏側シェード２２によって正面視略環状の中空空間ＳＰが形成されている。本実施形態では、中空空間ＳＰは、ドーナツ状に形成されている。
【００２５】
円盤基部２３ａのうち筒状壁部２３ｂの内周側部位には、時計ムーブメント３を筒状壁部２３ｂの内周側で着脱可能に保持するための爪状の保持部２３ｃが設けられている。ベース２３は、黒などの光を遮蔽する色の部材で形成され、又は、光を遮蔽する色が塗布されている。
【００２６】
発光部２５は、ＬＥＤ（発光ダイオード）等の発光素子２５ａ及び発光素子２５ａを駆動する基板２５ｂから構成されており、円盤基部２３ａのうち筒状壁部２３ｂの外周側部位に、発光方向ＬＤが文字板１とは反対側を向く姿勢で取り付けられている。
【００２７】
裏側シェード２２は、発光部２５の発光先に配置された白色を主とした半透明部材であり、表側シェード２１と共に外部（外周側）に露出しているので、発光部２５からの光の一部が裏側シェード２２を透過して外部に照射される。一方で、裏側シェード２２は、発光部２５からの光の一部を乱反射させるスリガラス状樹脂で構成されており、発光部２５から照射された光の一部を乱反射させて文字板１の裏面１ｂに案内する案内面２２ｓを形成している。本実施形態では、裏側シェード２２は樹脂で構成されているが、光を乱反射させることができれば、これに限定されるものではない。例えば、ガラスなどで構成してもよい。
【００２８】
表側シェード２１は、裏側シェード２２よりも光の透過性が高い高透過部材で構成されており、ハウジング内面の一部に設定された高透過部位である。この高透過部位は、中空空間ＳＰの光を外周側に透過させると共に、中空空間ＳＰの光が文字板１の裏面１ｂに到達することを許容している。本実施形態では、表側シェード２１は、透明樹脂で構成されているが、他のハウジング内面に比して光の透過性が高ければ、透明でも半透明でもよい。材料として、ガラスなどを用いることも可能である。
【００２９】
光源ユニット２は、時計ムーブメント３の電源である電池（図示せず）とは別の電源により駆動する。具体的には、図４に示すように、家庭用電源コンセントから電源ケーブルＣａを介して電力を供給可能に構成されている。また、同図に示すように、正面視において光源ユニット２（ハウジング２０）の寸法Ｗ１は、文字板１の寸法Ｗ２よりも小さく設定されている。
【００３０】
図２に示すように、時計ムーブメント３と時計針３０の接続部分には、ナットｎｔに対応する螺旋溝ｍが設けられている。これにより、光源ユニット２は、時計ムーブメント３をベース２３に装着した状態で文字板１に対して着脱可能に構成されている。
【００３１】
図３（ａ）及び図３（ｂ）に示すように、文字板１及びベース２３の間には、一方に凹部４ｃ、他方にリブ４ｂ（凸部）が形成され、これら凹部４ｃ及びリブ４ｂが周方向に干渉し合うことで、光源ユニット２の文字板１に対する相対回転を防止している。
【００３２】
本実施形態では、照明の役割を発光時計に付加しているので、発光をオンオフするための操作部が必要となるが、操作部を光源ユニットに設けると、光源ユニットは文字板の裏側にあるので、操作しにくいという問題がある。この問題は、特に壁掛け時計の場合には、顕著なものとなる。
【００３３】
そこで、本実施形態では、図４に示すように、発光部２５を発光状態又は消灯状態のいずれかに切り替えるための操作部５と、操作部５と光源ユニット２とを電気的に接続するコード５ａとを設けている。操作部５には、スイッチ式を採用しており、スイッチを押下することで、発光部２５が消灯状態から発光状態に、又は、発光状態から消灯状態に切り替わる。発光部２５は、予め定められた複数段階の発光強度（Ｈｉｇｈ／Ｌｏｗ）で発光可能に構成されており、操作部５のスイッチを押下することで、或る発光強度（Ｈｉｇｈ）から他の発光強度（Ｌｏｗ）に切り替わる。具体的には、操作部５のスイッチを押下する毎に、消灯状態→発光状態（発光強度Ｈｉｇｈ）→発光状態（発光強度Ｌｏｗ）→消灯状態、となる。すなわち、操作部５は、予め定められた複数段階の発光強度のうちいずれかの発光強度を選択するための発光強度選択部６を兼ねている。
【００３４】
また、図４、図５及び図６に示すように、光源ユニット２には、コード５ａを引っかけるための複数のフック７・７が互いに離間した状態で設けられている。フック７にコード５ａを引っかけることで、図４→図５のように、コード５ａの長さを調整可能として、所望の場所に操作部５を配置することを可能としている。例えば、図６に示すように、コード５ａの長さを短くして操作部５を文字板１の裏側に隠すことも可能である。なお、本実施形態では、フック７は、光源ユニット２に設けられているが、文字板１の裏面１ｂに設けてもよい。
【００３５】
また、図２に示すように、本製品は、ネジ等の市販の掛け具を壁に取り付け、光源ユニット２の上部に設けた壁掛け用取付部２０ｓの孔に引っかけて壁に設置することができる。この場合、壁掛け用取付部２０ｓの一点が支軸になり、その左右が前後方向に揺れ動き、支軸を中心として時計本体が前後方向に回転する可能性がある。そこで、フック７を、壁掛け用取付部２０ｓの突出高さと同一に形成して、壁に接触するようにしている。このように構成すると、壁掛け用取付部２０ｓ及び二つのフック７・７が壁に三点で接触することになるので、時計本体の前後方向への回転を抑制し、時計本体を壁に対して常に所定姿勢（文字板が垂直となる姿勢など）に保つことが可能となる。
【００３６】
以上のように、本実施形態に係る発光時計は、光を透過する透光部材で形成された文字板１と、文字板１よりも裏側に配置され、文字板１を光らせるための光源ユニット２とを備え、光源ユニット２から文字板１の裏面１ｂに投光して文字板１の裏面１ｂから表面１ａに光を透過させて文字板１を光らせる発光時計であって、光源ユニット２は、発光方向ＬＤが文字板１とは反対側を向く姿勢で設けられる発光部２５と、発光部２５の発光先に配置され、発光部２５から照射された光の少なくとも一部を乱反射させて文字板１の裏面１ｂへ案内する案内面２２ｓと、を有している。
【００３７】
このように構成すれば、発光部２５から照射された光は、文字板１とは反対側に向かい、発光部２５の発光先に配置された案内面２２ｓによって乱反射して文字板１の裏面１ｂに案内される。したがって、発光部２５から文字板１の裏面１ｂに直接投光されず、発光部２５からの光が案内面２２ｓで乱反射して拡散した状態で間接的に文字板１の裏面１ｂに到達するので、光のホットスポットの発現を防止して、見栄えを向上させることが可能となる。
【００３８】
特に、本実施形態では、案内面２２ｓは半透明部材である裏側シェード２２に形成され、半透明部材である裏側シェード２２が外部に露出している。このように構成すれば、発光部２５からの光の一部が、案内面２２ｓを形成する半透明部材である裏側シェード２２を透過して外部に照射されるので、文字板１を光らせる機能だけでなく、時計周囲を照らす照明機能を時計に付加することが可能となる。
【００３９】
さらに、本実施形態では、光源ユニット２は、正面視略環状の中空空間ＳＰを形成するハウジング２０を有し、中空空間ＳＰに発光部２５が周方向に沿って複数配列されており、ハウジング内面が案内面２２ｓに設定されて発光部２５からの光を文字板１の裏面１ｂに案内するように構成されていると共に、ハウジング内面の一部には、他のハウジング内面に比して光の透過性が高く且つ中空空間ＳＰの光を外周側に透過させる高透過部位（表側シェード２１）が設けられている。このように構成すれば、高透過部位を介して中空空間ＳＰの光が文字板１の外周側周囲に照射されるので、文字板１の周囲を照らすことが可能となる。特に、時計を壁掛けにした場合には、文字板１の周囲の壁ＷＬを照らすことができ、新たな態様の発光時計を提供することが可能となる。
【００４０】
さらにまた、本実施形態では、正面視においてハウジング２０の寸法Ｗ１は、文字板１の寸法Ｗ２よりも小さく設定されている。このように構成すれば、光源ユニット２を構成するハウジング２０が文字板１に隠れるので、時計を間接照明として利用することが可能となる。
【００４１】
さらにまた、本実施形態では、ハウジング２０は、時計針３０を回転駆動するための時計ムーブメント３を着脱可能なベース２３を有し、光源ユニット２は、時計ムーブメント３をベース２３に装着した状態で文字板１に対して着脱可能に構成されている。このように構成すれば、光源ユニット２と時計ムーブメント３とを一体化でき、これらの文字板１への組み付け作業を簡素化することが可能となる。それでいて、光源ユニット２と時計ムーブメント３とを一体化できるので、文字板１を入れ替える作業も簡易化することが可能となり、そのうえ、種々の文字板に対応する汎用性ある光源ユニット２及び時計ムーブメント３を提供可能となる。
【００４２】
さらにまた、本実施形態では、発光部２５を発光状態又は消灯状態のいずれかに切り替えるための操作部５と、操作部５と光源ユニット２とを電気的に接続するコード５ａとを備えている。このように構成すれば、照明に必要な操作部５を操作しやすい位置に配置することが可能となり、使い勝手を向上させることが可能となる。
【００４３】
さらにまた、本実施形態では、発光部２５は、予め定められた複数段階の発光強度（Ｈｉｇｈ／Ｌｏｗ）で発光可能に構成されており、操作部５は、複数段階の発光強度のうちいずれかの発光強度を選択するための発光強度選択部６を兼ねているので、照明として有用な発光時計を提供することが可能となる。
【００４４】
その他、本実施形態では、光源ユニット２には、コード５ａを引っかけるための複数のフック７・７が互いに離間した状態で設けられているので、コード５ａをフック７に引っかけることによって、コード５ａの長さを調節可能とし、例えば操作部５を文字板１の裏側に隠したりするなど、所望の場所に操作部５を配置可能となる。
【００４５】
以上、本考案の実施形態について図面に基づいて説明したが、具体的な構成は、これらの実施形態に限定されるものでないと考えられるべきである。本考案の範囲は、上記した実施形態の説明だけではなく請求の範囲によって示され、さらに請求の範囲と均等の意味および範囲内でのすべての変更が含まれる。
【００４６】
例えば、本実施形態では、裏側シェード２２が半透明部材であり、発光部２５から照射された光の一部を透過させているが、裏側シェードを遮光部材で形成して、発光部２５から照射された光の全てを乱反射させるようにしてもよい。
【００４７】
また、本実施形態の発光時計は壁掛け時計であるが、本考案は、置き時計にも適用することが可能となる。また、本実施形態では、ハウジングは、正面視略環状の中空空間ＳＰを形成しているが、正面視円盤状の中空空間を形成するように構成してもよい。また、本実施形態では、発光部２５は、周方向に沿って複数配列されているが、文字板の形状によっては単一であってもよい。さらに、本実施形態の時計は、文字板１に対し光源ユニット２が着脱可能に構成されているが、文字板の見栄え向上や周囲を照らす機能を付加する観点では、文字板及び光源ユニットを一体に形成してもよい。このような一体型の場合も本発明の範囲に含まれる。
【００４８】
なお、各部の具体的な構成は、上述した実施形態のみに限定されるものではなく、本考案の趣旨を逸脱しない範囲で種々変形が可能である。
【符号の説明】
【００４９】
１…文字板
２…光源ユニット
２０…ハウジング
２１…表側シェード（高透過部位）
２２…裏側シェード（半透明部材）
２２ｓ…案内面
２３…ベース
２５…発光部
３…時計ムーブメント
３０…時計針
５…操作部
５ａ…コード
６…発光強度選択部
７…フック
ＬＤ…発光方向
ＳＰ…中空空間
Ｗ１…ハウジングの寸法
Ｗ２…文字板の寸法
【図１】
0003173598.tif 000003
【図２】
0003173598.tif 000004
【図３】
0003173598.tif 000005
【図４】
0003173598.tif 000006
【図５】
0003173598.tif 000007
【図６】
0003173598.tif 000008